【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
通信システム内の通信サービスの要求に応答する通信アプリケーション・サーバであって、
（ｉ）通信アプリケーション・サーバによりサポートされている少なくとも１つの対応する通信サービスを識別する通信サービス要求のうちの指定された１つを処理し、（ｉｉ）識別された通信サービスに関連する１つまたは複数の実行可能通信タスクを判別し、（ｉｉｉ）１つまたは複数の外部サーバとの通信を確立し、通信サービスに関連付けられている１つまたは複数の実行可能タスクの少なくともサブセットを実行する動作をする第１のコンポーネントと、
通信アプリケーション・サーバを対応する外部サーバに接続するための対応するインターフェースを外部サーバ毎に提供する、第１のコンポーネントと１つまたは複数の外部サーバとの間で結合されている第２のコンポーネントを備えるサーバ。
【請求項２】
第１のコンポーネントは、通信サービスおよびセッション管理コンポーネントを含み、第２のコンポーネントは、コネクタ・コンポーネントを含む請求項１に記載の通信アプリケーション・サーバ。
【請求項３】
通信サービスおよびセッション管理コンポーネントはさらに、
通信アプリケーション・サーバによりサポートされている少なくとも１つの対応する通信サービスを識別する通信サービス要求の指定された１つを処理するサービス・イベント・マネージャと、
サービス・イベント・マネージャとの情報のやり取りを行うように適合され、サービス・イベント・マネージャにより識別された通信サービスに関連付けられている１つまたは複数の実行可能タスクを判別する動作をする通信サービス・マネージャと、
１つまたは複数の外部サーバとの通信を確立し、通信サービスに関連付けられている１つまたは複数の実行可能タスクの少なくともサブセットを実行する動作をする経路選択要素を備える請求項２に記載の通信アプリケーション・サーバ。
【請求項４】
さらに、要求側エンティティが通信アプリケーション・サーバにアクセスするのを制御するアクセス・マネージャを備える請求項１に記載の通信アプリケーション・サーバ。
【請求項５】
通信サービス要求の指定された１つが、通信アプリケーション・サーバの外部のエンドポイントから発信される請求項１に記載の通信アプリケーション・サーバ。
【請求項６】
通信サービス要求の指定された１つが、通信アプリケーション・サーバの外部のエンドポイント上で実行されているアプリケーションから発信される請求項５に記載の通信アプリケーション・サーバ。
【請求項７】
１つまたは複数の外部サーバからなる一組のサーバは、エンタープライズ・サーバと通信サーバのうち少なくとも一方を含む請求項１に記載の通信アプリケーション・サーバ。
【請求項８】
通信サーバは通信システム電話スイッチを備える請求項７に記載の通信アプリケーション・サーバ。
【請求項９】
通信サービスは少なくとも１つの連携型通信サービスを含む請求項１に記載の通信アプリケーション・サーバ。
【請求項１０】
通信サービスは少なくとも１つの連携型コア・サービスを含む請求項１に記載の通信アプリケーション・サーバ。
【請求項１１】
連携型コア・サービスは１つまたは複数の通信サービス・スクリプトを含む請求項１０に記載の通信アプリケーション・サーバ。
【請求項１２】
連携型コア・サービスはユーザ・プロファイル・データベース・サービスを含む請求項１０に記載の通信アプリケーション・サーバ。
【請求項１３】
連携型コア・サービスは、ディレクトリ・サービス、レジストリ・サービス、永続的ストア・サービス、ＱｏＳサービス、およびセキュリティ・サービスのうち少なくとも１つを含む請求項１０に記載の通信アプリケーション・サーバ。
【請求項１４】
通信アプリケーション・サーバは複数の外部アプリケーションから通信サービス要求を受け取り、１つまたは複数の外部サーバを使用して、要求への応答として通信サービスを提供する請求項１に記載の通信アプリケーション・サーバ。
【請求項１５】
指定された通信サービス要求は、通信アプリケーション・サーバに関連付けられているポータルを介して受信される請求項１に記載の通信アプリケーション・サーバ。
【請求項１６】
通信サービスおよびセッション管理コンポーネントは、さらに、通信サービス要求に関連するセッション情報を管理する動作をするセッション・マネージャを備える請求項２に記載の通信アプリケーション・サーバ。
【請求項１７】
セッション情報はセッション階層を含む請求項１６に記載の通信アプリケーション・サーバ。
【請求項１８】
セッション階層は、複数の通信サービスに関連するユーザ・セッション、複数の通信サービスのうち指定された１つに関連するサービス・セッション、および複数の通信サービスのうち指定された１つに対応する通信タスクに関連する通信セッションを含む請求項１７に記載の通信アプリケーション・サーバ。
【請求項１９】
通信セッションは、電話セッション、メッセージング・セッション、インスタント・メッセージング・セッション、およびプレゼンス・セッションのうち１つまたは複数を含む請求項１８に記載の通信アプリケーション・サーバ。
【請求項２０】
通信セッションは、指定された通信サービスに関連する実行可能な通信タスクのうち指定された１つに対応し、外部サーバのうちの１つによる通信タスクの少なくとも一部の実行を伴う請求項１８に記載の通信アプリケーション・サーバ。
【請求項２１】
通信サービスは、複数の実行可能通信タスクを含み、複数の実行可能通信タスクの少なくともサブセットのそれぞれは１つまたは複数の指定された処理工程を含む請求項１に記載の通信アプリケーション・サーバ。
【請求項２２】
通信サービスは、１つまたは複数の追加サービスを含み、１つまたは複数の追加通信サービスのそれぞれに対し、１つまたは複数の実行可能通信タスクが関連付けられている請求項１に記載の通信アプリケーション・サーバ。
【請求項２３】
通信サービスは、通信アプリケーション・サーバに関連付けられているサービス作成環境で指定された通信ワークフローに従って実装される請求項１に記載の通信アプリケーション・サーバ。
【請求項２４】
第１および第２のコンポーネントは、通信アプリケーション・サーバのメモリに格納される１つまたは複数のソフトウェア・プログラムの形で少なくとも一部は実装され、通信アプリケーション・サーバのプロセッサにより実行される請求項１に記載の通信アプリケーション・サーバ。
【請求項２５】
識別された通信サービスに関連付けられている実行可能通信タスクの少なくとも１つは、通信アプリケーション・サーバ内で実質的に完全に実行される請求項１に記載の通信アプリケーション・サーバ。
【請求項２６】
通信サービスに関連付けられている１つまたは複数の実行可能通信タスクの少なくともサブセットを実行する１つまたは複数の外部サーバは、通信アプリケーション・サーバとともに共通処理プラットフォーム上で実装されている少なくとも１つのサーバを含む請求項１に記載の通信アプリケーション・サーバ。
【請求項２７】
通信システム内の通信サービス要求に応答する通信アプリケーション・サーバであって、
メモリと、
メモリに結合されたプロセッサとを備え、
プロセッサは、（ｉ）通信アプリケーション・サーバによりサポートされている少なくとも１つの対応する通信サービスを識別する通信サービス要求のうちの指定された１つを処理し、（ｉｉ）識別された通信サービスに関連する１つまたは複数の実行可能通信タスクを判別し、（ｉｉｉ）１つまたは複数の外部サーバとの通信を確立し、通信サービスに関連付けられている１つまたは複数の実行可能タスクの少なくともサブセットを実行する動作をする通信アプリケーション・サーバ。
【請求項２８】
通信システムにおいて、通信サービス要求に応答する通信アプリケーション・サーバの方法であって、
通信アプリケーション・サーバによりサポートされている少なくとも１つの対応する通信サービスを識別する通信サービス要求の指定された１つを処理するステップと、
識別された通信サービスに関連付けられている１つまたは複数の実行可能通信タスクを判別するステップと、
１つまたは複数の外部サーバとの通信を確立し、通信サービスに関連付けられている１つまたは複数の実行可能通信タスクの少なくともサブセットを実行するステップを含む方法。
【請求項２９】
通信システムで通信サービス要求に応答する通信アプリケーション・サーバ内で使用される１つまたは複数のソフトウェア・プログラムを格納するための機械可読記憶媒体を備える製造品であって、１つまたは複数のプログラムは、通信アプリケーション・サーバで実行されたときに、
通信アプリケーション・サーバによりサポートされている少なくとも１つの対応する通信サービスを識別する通信サービス要求の指定された１つを処理するステップと、
識別された通信サービスに関連付けられている１つまたは複数の実行可能通信タスクを判別するステップと、
１つまたは複数の外部サーバとの通信を確立し、通信サービスに関連付けられている１つまたは複数の実行可能通信タスクの少なくともサブセットを実行するステップを実行する、製造品。